(57)【要約】【課題】車載装置で利用できないアプリケーションが動作し続けることによるスマートフォンでの無駄な電池消費を回避できる「車載装置およびアプリケーション停止制御方法」を提供する。【解決手段】車載装置１００に対して携帯端末２００が接続されたときに、携帯端末２００において動作中であり、かつ、車載装置１００で利用できないアプリケーションがあるか否かを判定し、そのようなアプリケーションがある場合には動作停止制御部１０９が動作停止命令を発生して携帯端末２００に送信することにより、アプリケーションを実行中の携帯端末２００を車載装置１００に接続したときに、そのアプリケーションが車載装置１００で利用できないものである場合にはそのアプリケーションの動作が停止するようにして、車載装置１００で利用できないアプリケーションが携帯端末２００で動作し続ける無駄を防ぐ。【選択図】図１
2012252402.tif 000002
【特許請求の範囲】
【請求項１】
携帯端末と連携して携帯端末側のアプリケーションの機能を利用可能になされた車載装置であって、
上記携帯端末が接続されたときに、上記携帯端末側で動作中のアプリケーションを判定する動作状態判定部と、
上記携帯端末が接続されたときに、上記携帯端末にインストールされているアプリケーションのうち上記車載装置で利用できないアプリケーションを判定する利用可否判定部と、
上記動作状態判定部により上記携帯端末側で動作中であると判定され、かつ、上記利用可否判定部により上記車載装置で利用できないと判定されたアプリケーションの動作を停止させるための動作停止命令を発生して上記携帯端末に送信する動作停止制御部とを備えたことを特徴とする車載装置。
【請求項２】
上記動作状態判定部により上記携帯端末側で動作中であると判定され、かつ、上記利用可否判定部により上記車載装置で利用できないと判定されたアプリケーションが存在する場合に、当該アプリケーションの動作を停止させるか否かをユーザに選択させるための動作停止確認画面を表示させる確認画面表示制御部と、
上記確認画面表示制御部により表示された上記動作停止確認画面への操作を通じて上記アプリケーションの動作を停止させるための指示が行われたか否かを判定する指示判定部とを更に備え、
上記動作停止制御部は、上記指示判定部により上記アプリケーションの動作を停止させるための指示が行われたと判定されたときに、上記アプリケーションの動作を停止させるための動作停止命令を発生して上記携帯端末に送信することを特徴とする請求項１に記載の車載装置。
【請求項３】
上記確認画面表示制御部は、上記動作状態判定部により上記携帯端末側で動作中であると判定され、かつ、上記利用可否判定部により上記車載装置で利用できないと判定された１以上のアプリケーションを上記動作停止確認画面にて提示し、
上記指示判定部は、上記確認画面表示制御部により表示された上記動作停止確認画面への操作を通じて何れのアプリケーションの動作を停止させるための指示が行われたかを判定し、
上記動作停止制御部は、上記指示判定部により指示が行われたと判定されたアプリケーションの動作を停止させるための動作停止命令を発生して上記携帯端末に送信することを特徴とする請求項２に記載の車載装置。
【請求項４】
携帯端末と連携して携帯端末側のアプリケーションの機能を利用可能になされた車載装置におけるアプリケーション停止制御方法であって、
上記携帯端末が接続されたときに、上記車載装置が、上記携帯端末側で動作中のアプリケーションを判定する動作状態判定ステップと、
上記携帯端末が接続されたときに、上記車載装置が、上記携帯端末にインストールされているアプリケーションのうち上記車載装置で利用できないアプリケーションを判定する利用可否判定ステップと、
上記車載装置が、上記動作状態判定ステップにて上記携帯端末側で動作中であると判定され、かつ、上記利用可否判定ステップにて上記車載装置で利用できないと判定されたアプリケーションの動作を停止させるための動作停止命令を発生して上記携帯端末に送信する動作停止制御ステップとを有することを特徴とするアプリケーション停止制御方法。
【発明の詳細な説明】
【技術分野】
【０００１】
本発明は、車載装置およびアプリケーション停止制御方法に関し、特に、携帯端末と連携して携帯端末側のアプリケーションの機能を利用可能になされた車載装置に用いて好適なものである。
【背景技術】
【０００２】
近年、携帯電話の機能と携帯情報端末（ＰＤＡ）の機能とを融合させた携帯端末が提供されている。この種の携帯端末は、スマートフォンと呼ばれており、通常の通話機能だけでなく、ＰＤＡが得意とする各種のアプリケーション機能を持っている。多くのスマートフォンは、タッチパネル画面を備えている。このタッチパネル画面には、通話を含む複数のアプリケーションを利用するための操作キー（アイコン）が表示され、当該アイコンのタッチ操作によって所望のアプリケーションを簡単に起動できるようになされている。
【０００３】
一方、ＵＳＢ（Universal Serial Bus）等の有線あるいはブルートゥース等の無線によってスマートフォンと連携し、スマートフォンにインストールされたアプリケーションの機能を利用可能になされた車載装置も提供されつつある。この種の車載装置では、車載装置が対応するリソースの１つにスマートフォンを割り当て、リソース選択画面でスマートフォンを選択することにより、スマートフォンのアプリケーションに対する操作を車載装置において行うことができるようになされている（例えば、特許文献１参照）。
【０００４】
なお、特許文献１に記載の車載装置では、無線通信が確立された複数の携帯端末上でそれぞれ提供されるデータのうち、「実行回数が最も多いアプリ」、「最近１週間で最も実行された回数が多いアプリ」、「最近１カ月で最も実行された回数が多いアプリ」、「接続回数が最も多い携帯端末で実行されているアプリ」など、予め指定された条件に一致するデータのみを取得して表示するようになされている。
【先行技術文献】
【特許文献】
【０００５】
【特許文献１】特開２０１０−１３０６７４号公報
【発明の概要】
【発明が解決しようとする課題】
【０００６】
スマートフォンと連携可能になされた車載装置において、スマートフォンのタッチパネル画面に表示されている複数のアイコンのうち、車載装置で実際に利用可能なアプリケーションに対応するアイコンのみを車載装置の画面に表示させる技術も提案されている。この技術を用いれば、車載装置で利用できないアプリケーションのアイコンは車載装置に表示されないので、アイコンを操作しているのにアプリケーションが起動しないといった不都合を回避することができる。
【０００７】
しかしながら、スマートフォン側で何れかのアプリケーションを起動して実行しているときにスマートフォンと車載装置とを接続した場合には、以下のような問題が生じることがある。すなわち、スマートフォン側で実行中のアプリケーションは、それが車載装置で利用できるものであるか否かによらず動作し続ける。そのため、実際にはスマートフォンと連携して車載装置で利用できないアプリケーションであっても動作状態が継続し、スマートフォンの電池を無駄に消費してしまうという問題を生じる。
【０００８】
なお、スマートフォンと連携して車載装置側で利用できないアプリケーションの動作を停止するには、スマートフォン側で動作停止の操作をする必要がある。ところが、スマートフォン側の操作画面を見ても、車載装置で利用できないアプリケーションであるか否かは判断できない。そのため、車載装置で利用できないアプリケーションだけを選択してスマートフォン側で動作停止の操作をすることは困難である。
【０００９】
本発明は、このような問題を解決するために成されたものであり、アプリケーションを実行中のスマートフォンと車載装置とを接続した場合に、車載装置で利用できないアプリケーションが動作し続けることによるスマートフォンでの無駄な電池消費を回避できるようにすることを目的とする。
【課題を解決するための手段】
【００１０】
上記した課題を解決するために、本発明の車載装置では、携帯端末が接続されたときに携帯端末側で動作中であり、かつ、車載装置で利用できないアプリケーションがあるか否かを判定し、そのようなアプリケーションがある場合には、そのアプリケーションの動作を停止させるための動作停止命令を発生して携帯端末に送信するようにしている。
【発明の効果】
【００１１】
上記のように構成した本発明によれば、アプリケーションを実行中の携帯端末を車載装置に接続したときに、そのアプリケーションが車載装置で利用できないものである場合には、携帯端末側で何ら操作を行わなくても、そのアプリケーションの動作が停止される。そのため、車載装置で利用できないアプリケーションが携帯端末で動作し続ける状態を防ぎ、携帯端末での無駄な電池消費を回避することができる。
【図面の簡単な説明】
【００１２】
【図１】本実施形態による車載装置を含むアプリケーション実行システムの機能構成例を示すブロック図である。
【図２】車載装置の表示部および携帯端末の表示部に表示される画面の例を示す図である。
【図３】本実施形態による車載装置の動作例を示すフローチャートである。
【図４】本実施形態による動作停止確認画面の変形例を示す図である。
【発明を実施するための形態】
【００１３】
以下、本発明の一実施形態を図面に基づいて説明する。図１は、本実施形態による車載装置を含むアプリケーション実行システムの機能構成例を示すブロック図である。図１に示すように、本実施形態のアプリケーション実行システムは、車載装置１００とスマートフォン等の携帯端末２００とを有線または無線により接続して構成されている。本実施形態の車載装置１００は、携帯端末２００と連携して携帯端末２００側のアプリケーションプログラム（以下、単にアプリケーションという）の機能を利用可能に成されている。
【００１４】
車載装置１００は、通信部１０１、操作部１０２、表示部１０３、画面表示制御部１０４、利用可否判定部１０５、アプリケーション管理テーブル１０６、指示判定部１０７、動作実行制御部１０８、動作停止制御部１０９、動作状態判定部１１０および確認画面表示制御部１１１を備えて構成されている。また、携帯端末２００は、通信部２０１、操作部２０２、表示部２０３、画面表示制御部２０４、アプリケーション記憶部２０５、アイコン記憶部２０６、動作制御部２０７および連携処理部２０８を備えて構成されている。
【００１５】
車載装置１００の通信部１０１および携帯端末２００の通信部２０１は、車載装置１００と携帯端末２００とが接続された状態において、相互に各種のデータを通信する。例えば、通信部１０１，２０１は、携帯端末２００にインストールされているアプリケーションの識別情報（例えば、ファイル名など）、携帯端末２００においてアプリケーションが動作中であるか否かを示すステータス情報、アプリケーション起動用のアイコン、アプリケーションの実行結果を示す画面情報（以下、アプリケーション画面という）などを携帯端末２００から車載装置１００に通信する。また、通信部１０１，２０１は、携帯端末２００にインストールされているアプリケーションの起動命令、動作実行命令、動作停止命令などのコマンド情報を車載装置１００から携帯端末２００に通信する。
【００１６】
通信部１０１，２０１は、車載装置１００と携帯端末２００とが接続状態にあるか否かを検出する機能を有している。すなわち、通信部１０１，２０１は、車載装置１００と携帯端末２００とがケーブル等の有線で繋がれたときに、相互に所定の通信を行うことによって接続状態が確立したか否かを検出する。車載装置１００と携帯端末２００とをブルートゥース等により無線接続する形態の場合は、通信部１０１，２０１は、車載装置１００と携帯端末２００とが無線通信圏内に入ったときに、相互に所定の通信を行うことによって接続状態が確立したか否かを検出する。接続状態にあることを検出した場合、通信部１０１は、その旨を動作状態判定部１１０および利用可否判定部１０５に通知する。
【００１７】
車載装置１００の操作部１０２は、ユーザが車載装置１００に対して各種の指示を行うためのものであり、例えばタッチパネルにより構成される。なお、操作部１０２はタッチパネルである必要はなく、例えばリモコンであってもよい。表示部１０３は、各種情報を表示するためのものであり、例えば液晶ディスプレイにより構成される。この表示部１０３には、携帯端末２００から送られてくるアイコン、アプリケーション画面、アプリケーションの動作を停止するか否かの動作停止確認画面（詳しくは後述する）などが表示される。
【００１８】
画面表示制御部１０４は、表示部１０３に対する上述した各種情報の表示を制御する。本実施形態において画面表示制御部１０４は、携帯端末２００から送られてくるアイコンを表示部１０３に表示するときに、車載装置１００で利用できるアプリケーションに対応するアイコンのみを表示し、車載装置１００で利用できないアプリケーションに対応するアイコンは表示しないように制御する。
【００１９】
車載装置１００で利用できるアプリケーションか否かの判定は、利用可否判定部１０５が行う。その利用可否判定には、アプリケーション管理テーブル１０６に記憶されている管理情報を用いる。アプリケーション管理テーブル１０６は、車載装置１００で利用できるアプリケーションの識別情報（ファイル名）をあらかじめ記憶している。利用可否判定部１０５は、通信部１０１が携帯端末２００から受信したアプリケーションの識別情報と、アプリケーション管理テーブル１０６に記憶されているアプリケーションの識別情報とを比較することにより、携帯端末２００にインストールされているアプリケーションのうち車載装置１００で利用できるアプリケーションと利用できないアプリケーションとを判別する。
【００２０】
利用可否判定部１０５は、車載装置１００で利用できるアプリケーションを画面表示制御部１０４に通知する。この通知を受けた画面表示制御部１０４は、通信部１０１が携帯端末２００から受信したアイコンのうち、車載装置１００で利用できるアプリケーションに対応するアイコンのみを表示部１０３に表示するように制御する。なお、利用可否判定部１０５で判定した結果を、通信部１０１を介して携帯端末２００に通知することにより、車載装置１００で利用できるアプリケーションに対応するアイコンのみを携帯端末２００から車載装置１００に送信し、それを画面表示制御部１０４が表示部１０３に表示するように制御してもよい。
【００２１】
指示判定部１０７は、操作部１０２への操作を通じて車載装置１００に対して行われた指示の種類を判定する。例えば、指示判定部１０７は、操作部１０２に対する操作（表示部１０３に表示されたアイコンの押下操作）を通じて、携帯端末２００にインストールされているアプリケーションの起動指示が行われたか否かを判定する。起動指示が行われたと判定した場合、指示判定部１０７はその旨を動作実行制御部１０８に通知する。この通知を受けた動作実行制御部１０８は、通信部１０１を介して携帯端末２００に対して該当するアプリケーションの起動命令を送信する。この起動命令には、命令の対象とするアプリケーションの識別情報が含まれている。
【００２２】
また、指示判定部１０７は、操作部１０２に対する操作（表示部１０３に表示されたアプリケーション画面に設けられている各種操作ボタンの押下操作）を通じて、携帯端末２００にインストールされているアプリケーションに対する動作実行指示が行われたか否かを判定する。動作実行指示が行われたと判定した場合、指示判定部１０７はその指示の内容を動作実行制御部１０８に通知する。この通知を受けた動作実行制御部１０８は、通信部１０１を介して携帯端末２００に対して動作実行命令を送信する。この動作実行命令には、命令の対象とするアプリケーションの識別情報が含まれている。
【００２３】
また、指示判定部１０７は、操作部１０２に対する操作（表示部１０３に表示されたアプリケーション画面に設けられているシャットダウンボタンの押下操作、あるいは、上述の動作停止確認画面に設けられている動作停止ボタンの押下操作）を通じて、携帯端末２００にインストールされているアプリケーションに対する動作停止指示が行われたか否かを判定する。動作停止指示が行われたと判定した場合、指示判定部１０７はその旨を動作停止制御部１０９に通知する。この通知を受けた動作停止制御部１０９は、通信部１０１を介して携帯端末２００に対して該当するアプリケーションの動作停止命令を送信する。この動作停止命令には、命令の対象とするアプリケーションの識別情報が含まれている。
【００２４】
動作状態判定部１１０は、車載装置１００に対して携帯端末２００が接続されたことが通信部１０１より通知されたときに、携帯端末２００側で動作中のアプリケーションを判定する。具体的には、動作状態判定部１１０は、車載装置１００に対して携帯端末２００が接続されたときに通信部１０１が携帯端末２００から受信するステータス情報に基づいて、携帯端末２００にインストールされているアプリケーションのうちどのアプリケーションが動作中であるかを判定する。
【００２５】
確認画面表示制御部１１１は、動作状態判定部１１０により携帯端末２００側で動作中であると判定され、かつ、利用可否判定部１０５により車載装置１００で利用できないと判定されたアプリケーションが存在する場合に、当該アプリケーションの動作を停止させるか否かをユーザに選択させるための動作停止確認画面を表示部１０３に表示するように制御する。
【００２６】
上述のように、指示判定部１０７は、確認画面表示制御部１１１により表示部１０３に表示された動作停止確認画面への操作を通じてアプリケーションの動作を停止させるための指示が行われたか否かを判定する。そして、その判定の結果を動作停止制御部１０９に通知する。動作停止制御部１０９は、アプリケーションの動作停止指示が行われた旨の通知を指示判定部１０７から受けたときに、該当するアプリケーションの動作を停止させるための動作停止命令を発生して携帯端末２００に送信する。
【００２７】
携帯端末２００の操作部２０２は、ユーザが携帯端末２００に対して各種の指示を行うためのものであり、例えばタッチパネルにより構成される。表示部２０３は、各種情報を表示するためのものであり、例えば液晶ディスプレイにより構成される。この表示部２０３には、携帯端末２００にインストールされているアプリケーションのアイコンやアプリケーション画面などが表示される。画面表示制御部２０４は、表示部２０３に対する上述した各種情報の表示を制御する。
【００２８】
アプリケーション記憶部２０５は、携帯端末２００にインストールされているアプリケーションを記憶する。アイコン記憶部２０６は、携帯端末２００にインストールされているアプリケーションに対応するアイコンを記憶する。アイコン記憶部２０６に記憶されているアイコンは、画面表示制御部２０４に供給されて表示部２０３に表示される。また、当該アイコンは、連携処理部２０８により取得され、通信部２０１を介して車載装置１００に送信される。そして、車載装置１００に送信されたアイコンのうち車載装置１００で利用できるアプリケーションに対応するものが、画面表示制御部１０４により表示部１０３に表示される。
【００２９】
動作制御部２０７は、操作部２０２に対してユーザにより行われる操作に応じて、アプリケーション記憶部２０５に記憶されているアプリケーションの携帯端末２００での動作を制御する。例えば、動作制御部２０７は、押下されたアイコンに対応するアプリケーションの起動、アプリケーションが有する機能の実行、アプリケーションの動作停止などを制御する。機能実行の結果として生成されるアプリケーション画面は、画面表示制御部２０４に出力されて表示部２０３に表示される。また、当該アプリケーション画面は、連携処理部２０８により取得され、通信部２０１を介して車載装置１００に送信される。そして、車載装置１００に送信されたアプリケーション画面は、画面表示制御部１０４により表示部１０３に表示される。
【００３０】
連携処理部２０８は、車載装置１００が携帯端末２００と連携して携帯端末２００側のアプリケーションの機能を利用する際に必要な情報を、通信部２０１を介して車載装置１００に提供する。すなわち、連携処理部２０８は、アイコン記憶部２０６からアイコンを取得し、車載装置１００に提供する。また、連携処理部２０８は、アプリケーション記憶部２０５からアプリケーションの識別情報を取得し、車載装置１００に提供する。また、連携処理部２０８は、動作制御部２０７からアプリケーション画面を取得し、車載装置１００に提供する。さらに、連携処理部２０８は、動作制御部２０７によるアプリケーションの動作状態を確認することにより、アプリケーションのステータス情報を生成して車載装置１００に提供する。
【００３１】
また、連携処理部２０８は、車載装置１００から起動命令、動作実行命令、動作停止命令などのコマンド情報が送られてきたときは、そのコマンド情報を動作制御部２０７に供給する。動作制御部２０７は、連携処理部２０８から受け取ったコマンド情報に従って、携帯端末２００の動作を制御する。
【００３２】
図２は、車載装置１００の表示部１０３および携帯端末２００の表示部２０３に表示される画面の例を示す図である。図２（ａ）は、携帯端末２００の表示部２０３に表示される画面の例を示す。図２（ｂ）は、車載装置１００の表示部１０３に表示される画面の例を示す。ここでは、車載装置１００と携帯端末２００とを接続したときに表示される画面の例を示している。
【００３３】
図２（ａ）に示すように、携帯端末２００の表示部２０３には、複数のアイコン２１，２２および操作ボタン２３が表示されている。斜線を付していないアイコン２１は、車載装置１００で利用可能なアプリケーションに対応するものである。一方、斜線を付してあるアイコン２２は、車載装置１００で利用できないアプリケーションに対応するものである。
【００３４】
このようなアイコン２１，２２の表示は、アイコン記憶部２０６に記憶されているアイコンを用いて画面表示制御部２０４によって行われる。なお、ここでは説明の都合上、車載装置１００で利用可能なアプリケーションか否かによってアイコン２１，２２の表記を区別しているが、実際の画面上ではこのような区別はない。
【００３５】
ユーザが操作ボタン２３を押下すると、小画面２４が立ち上がり、携帯端末２００において現在動作中のアプリケーションのアイコンが集約して一覧表示されるようになっている。図２（ａ）の例では、車載装置１００で利用可能なアプリケーションが１個、車載装置１００で利用できないアプリケーションが３個、携帯端末２００において現在動作中であり、これら４個のアプリケーションに対応するアイコンが小画面２４内に一覧表示されている。
【００３６】
一方、図２（ｂ）に示すように、携帯端末２００が接続された車載装置１００の表示部１０３には、携帯端末２００にインストールされているアプリケーションのうち、車載装置１００で利用可能なアプリケーションに対応するアイコン２１のみが表示される。このような表示の制御は、利用可否判定部１０５および画面表示制御部１０４によって行われる。
【００３７】
また、携帯端末２００で動作中であり、かつ、車載装置１００で利用できないという条件を満たすアプリケーションが存在する場合には、アイコン２１に加えて動作停止確認画面３０が表示される。この動作停止確認画面３０を表示するための制御は、利用可否判定部１０５、動作状態判定部１１０および確認画面表示制御部１１１によって行われる。
【００３８】
図２（ｂ）に示すように、動作停止確認画面３０には、上述の条件を満たすアプリケーションが存在することをユーザに知らせるメッセージ３１と、当該アプリケーションの動作を停止させるか否かをユーザに選択させるための指示ボタン３２，３３とが表示される。「はい」と表記された動作停止ボタン３２は、アプリケーションの動作を停止させることを指示するためのボタンである。「いいえ」と表記された動作継続ボタン３３は、アプリケーションの動作を停止せず動作中の状態を継続させることを指示するためのボタンである。
【００３９】
ユーザが動作停止ボタン３２を押下すると、そのことを指示判定部１０７が検知し、動作停止制御部１０９に通知する。この通知を受けて動作停止制御部１０９は、該当するアプリケーションの動作を停止させるための動作停止命令を発生し、通信部１０１を介して携帯端末２００に送信する。携帯端末２００では、この動作停止命令を受信して動作制御部２０７に供給することにより、動作中であったアプリケーションのうち車載装置１００で利用できないアプリケーションの動作を停止させる。
【００４０】
図３は、上記のように構成した本実施形態による車載装置１００の動作例を示すフローチャートである。図３に示すフローチャートは、車載装置１００と携帯端末２００との接続時に実行される。図３において、通信部１０１は、携帯端末２００が接続されたか否かを判定する（ステップＳ１）。携帯端末２００が接続されたと判断した場合、通信部１０１は、携帯端末２００にインストールされている各アプリケーションの識別情報、ステータス情報、アイコンを携帯端末２００から受信する（ステップＳ２）。
【００４１】
利用可否判定部１０５は、通信部１０１が携帯端末２００から受信したアプリケーションの識別情報と、アプリケーション管理テーブル１０６に記憶されているアプリケーションの識別情報とを比較することにより、携帯端末２００にインストールされているアプリケーションのうち車載装置１００で利用できるアプリケーションと利用できないアプリケーションとを判別する（ステップＳ３）。そして、利用可否判定部１０５は、車載装置１００で利用できるアプリケーションを画面表示制御部１０４に通知するとともに、車載装置１００で利用できないアプリケーションを確認画面表示制御部１１１に通知する。
【００４２】
画面表示制御部１０４は、利用可否判定部１０５からの通知を受けて、携帯端末２００から受信したアイコンのうち、車載装置１００で利用できるアプリケーションに対応するアイコン２１のみを表示部１０３に表示させる（ステップＳ４）。
【００４３】
次に、動作状態判定部１１０は、ステップＳ２で携帯端末２００から受信したステータス情報に基づいて、携帯端末２００にインストールされているアプリケーションのうちどのアプリケーションが動作中であるかを判定する（ステップＳ５）。そして、動作状態判定部１１０は、携帯端末２００で動作中のアプリケーションを確認画面表示制御部１１１に通知する。
【００４４】
確認画面表示制御部１１１は、ステップＳ３における利用可否判定部１０５の判定結果およびステップＳ４における動作状態判定部１１０の判定結果に基づいて、携帯端末２００で動作中であり、かつ、車載装置１００で利用できないという条件を満たすアプリケーションが存在するか否かを判定する（ステップＳ６）。条件を満たすアプリケーションが存在すると判断した場合、確認画面表示制御部１１１は、アイコン２１に加えて動作停止確認画面３０を表示部１０３に表示させる（ステップＳ７）。一方、条件を満たすアプリケーションが存在しないと確認画面表示制御部１１１にて判断した場合、図３に示すフローチャートの処理は終了する。
【００４５】
確認画面表示制御部１１１によって動作停止確認画面３０が表示された場合、指示判定部１０７は、当該動作停止確認画面３０に設けられた動作停止ボタン３２が押下されたか否かを判定する（ステップＳ８）。ここで、動作停止ボタン３２が押下されたと判断した場合、指示判定部１０７は、その旨を動作停止制御部１０９に通知する。この通知を受けた動作停止制御部１０９は、通信部１０１を介して携帯端末２００に対して該当するアプリケーションの動作停止命令を送信する（ステップＳ９）。そして、図３に示すフローチャートの処理は終了する。一方、動作停止ボタン３２が押下されていない、つまり動作継続ボタン３３が押下されたと判断した場合、図３に示すフローチャートの処理は終了する。
【００４６】
以上詳しく説明したように、本実施形態の車載装置１００では、携帯端末２００が接続されたときに、携帯端末２００において動作中であり、かつ、車載装置１００で利用できないアプリケーションがあるか否かを判定する。そして、そのようなアプリケーションがある場合には動作停止確認画面３０を表示し、動作停止ボタン３２が押下されたことを確認して、該当するアプリケーションの動作を停止させるための動作停止命令を発生して携帯端末２００に送信するようにしている。
【００４７】
このように構成した本実施形態によれば、アプリケーションを実行中の携帯端末２００を車載装置１００に接続したときに、そのアプリケーションが車載装置１００で利用できないものである場合には、動作停止ボタン３２の操作を通じたユーザの意思確認のもと、アプリケーションの動作が停止される。そのため、車載装置１００で利用できないアプリケーションが、ユーザの気がつかないまま携帯端末２００で動作し続ける状態を防ぎ、携帯端末２００での無駄な電池消費を回避することができる。
【００４８】
なお、上記実施形態では、携帯端末２００において動作中であり、かつ、車載装置１００で利用できないという条件を満たすアプリケーションがある場合には動作停止確認画面３０を表示し、動作停止ボタン３２が押下されたときに動作停止命令を車載装置１００から携帯端末２００に送信する例について説明したが、本発明はこれに限定されない。例えば、上述の条件を満たすアプリケーションが存在する場合に、動作停止確認画面３０を表示することなく、動作停止命令を車載装置１００から携帯端末２００に自動的に送信するようにしてもよい。
【００４９】
また、上記実施形態では、上述の条件を満たすアプリケーションが１以上存在する場合に、当該１以上のアプリケーションを全て動作停止とする例について説明したが、本発明はこれに限定されない。例えば、上述の条件を満たす１以上のアプリケーションを動作停止確認画面にて提示し、動作を停止させるアプリケーションをユーザが選択できるようにしてもよい。
【００５０】
この場合、確認画面表示制御部１１１は、動作状態判定部１１０により携帯端末２００で動作中であると判定され、かつ、利用可否判定部１０５により車載装置１００で利用できないと判定された１以上のアプリケーションを動作停止確認画面にて提示する。指示判定部１０７は、動作停止確認画面への操作を通じて何れのアプリケーションの動作を停止させるための指示が行われたかを判定する。動作停止制御部１０９は、指示判定部１０７により動作停止指示が行われたと判定されたアプリケーションの動作を停止させるための動作停止命令を発生して携帯端末２００に送信する。
【００５１】
図４は、この場合に確認画面表示制御部１１１により表示される動作停止確認画面４０の例を示す図である。なお、この図４において、図２（ｂ）に示した構成要素と同一の機能を有する構成要素には同一の符号を付している。図４に示す動作停止確認画面４０には、メッセージ３１と、上述の条件を満たす各アプリケーションに対応する１以上のアイコン４１と、当該各アプリケーションの動作停止を選択するためのチェックボックス４２と、動作停止の指示を実行するための実行ボタン４３とが表示されている。
【００５２】
ユーザは、動作を停止させたいアプリケーションのアイコン４１の下に表示されているチェックボックス４２にチェックを入れた後、実行ボタン４３を押す。すると、指示判定部１０７は、どのチェックボックス４２にチェックが入った状態で実行ボタン４３が押下されたかによって、何れのアプリケーションの動作を停止させるための指示が行われたかを判定する。そして、動作停止制御部１０９は、動作停止指示が行われたと判定されたアプリケーションの動作を停止させるための動作停止命令を発生して携帯端末２００に送信する。
【００５３】
このようにすれば、車載装置１００で利用できないアプリケーションであっても、携帯端末２００において常駐的に動作させておきたいアプリケーションについてはそのまま動作を継続させつつ、それ以外のアプリケーションについてのみ動作を停止させて携帯端末２００での無駄な電池消費を回避することができる。
【００５４】
また、上記実施形態では、携帯端末２００でアプリケーションが動作中であるか否かの判定と、車載装置１００で利用できないアプリケーションであるか否かの判定とを並列的に行う例について説明したが、本発明はこれに限定されない。例えば、まず、携帯端末２００から通知された各アプリケーションが動作中であるか否かを判定し、動作中のアプリケーションのみを対象として、それが車載装置１００で利用できるか否かを判定するようにしてもよい。逆に、携帯端末２００から通知された各アプリケーションが車載装置１００で利用できるか否かをまず判定し、利用できないアプリケーションのみを対象として、それが携帯端末２００で動作中であるか否かを判定するようにしてもよい。
【００５５】
また、上記実施形態において、動作制御部２０７が連携処理部２０８から動作停止命令を受けてアプリケーションの動作を停止させた場合は、停止させたアプリケーションの識別情報を記憶しておく。そして、車載装置１００から携帯端末２００が外されたことを通信部２０１が検知したときに、動作制御部２０７が、記憶しておいた識別情報に基づいて、車載装置１００との接続時に停止されたアプリケーションを自動的に起動するようにしてもよい。
【００５６】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００５７】
１００  車載装置
１０５  利用可否判定部
１０７  指示判定部
１０９  動作停止制御部
１１０  動作状態判定部
１１１  確認画面表示制御部
２００  携帯端末
２０７  動作制御部
２０８  連携処理部
【図１】
2012252402.tif 000003
【図２】
2012252402.tif 000004
【図３】
2012252402.tif 000005
【図４】
2012252402.tif 000006